(57)【要約】【課題】漏液を防止した液体内蔵素子を提供する。【解決手段】接続相手に対する電気的接続部２２Ａ、２２Ｂが装着された装着面２３を有し、内部に液体が内蔵された液体内蔵素子２０と、前記装着面２３を覆い、液体を吸収する液体吸収部材３１と、前記液体吸収部材３１を収容しつつ前記液体内蔵素子２０の前記装着面２３側にシール状態で被せ付けられる絶縁材より成る容器３２とを備え、前記容器３２は前記液体内蔵素子２０に対し、前記装着面２３側から前記液体内蔵素子２０の前記装着面２３を超える位置まで被せ付けられている。【選択図】図２
2014120674.tif 000002
【特許請求の範囲】
【請求項１】
接続相手に対する電気的接続部が装着された装着面を有し、内部に液体が内蔵された液体内蔵素子と、
前記装着面を覆い、液体を吸収する液体吸収部材と、
前記液体吸収部材を収容しつつ前記液体内蔵素子の前記装着面側にシール状態で被せ付けられる絶縁材より成る容器とを備え、
前記容器は前記液体内蔵素子に対し、前記装着面側から前記液体内蔵素子の前記装着面を超える位置まで被せ付けられていることを特徴とする漏液防止機能付き液体内蔵素子。
【請求項２】
前記容器はゴム製の弾性体にて形成され、開口縁部が前記液体内蔵素子の側面全周に弾性的に密着することを特徴とする請求項１に記載の漏液防止機能付き液体内蔵素子。
【請求項３】
前記電気的接続部は前記装着面から突出した一対のリード線であり、かつ、前記容器内には、前記液体吸収部材により吸収された液体により前記液体内蔵素子の前記リード線間が短絡することを防止する短絡防止壁が設けられていることを特徴とする請求項１又は請求項２に記載の漏液防止機能付き液体内蔵素子。
【請求項４】
前記短絡防止壁と前記容器とが一体に形成されていることを特徴とする請求項３に記載の漏液防止機能付き液体内蔵素子。
【請求項５】
請求項１から請求項４の何れか１項に記載の漏液防止機能付き液体内蔵素子をハウジングの内部に搭載することを特徴とするコネクタ。
【請求項６】
前記漏液防止機能付き液体内蔵素子がコンデンサであることを特徴とする請求項５に記載のコネクタ。
【発明の詳細な説明】
【技術分野】
【０００１】
本発明は、漏液防止機能付き液体内蔵素子及びこれを搭載したコネクタに関するものである。
【背景技術】
【０００２】
液体内蔵素子であるアルミ電解コンデンサ（以下、コンデンサと称する）の内部には電解液が収容されている。従来より、電解液の性質やかしめ等の不具合により、リード線の付け根部分より漏れ出す場合があることが知られている。電解液が漏液し、コンデンサを実装している回路基板に落ちると、回路が短絡するなどの不具合が発生する可能性がある。
【０００３】
このような問題に対して、コンデンサの直下の回路基板上に漏液受け止め用部品を設けて、リード線を伝って漏れ出してくる電解液を受け止めることで回路の短絡を防止する技術も知られている（例えば、特許文献１参照）。
【先行技術文献】
【特許文献】
【０００４】
【特許文献１】特開平１０−１５４６３７号公報
【発明の概要】
【発明が解決しようとする課題】
【０００５】
しかしながら、上記の構造では、漏液受け止め用部品とコンデンサとの位置関係が上下の位置関係に限定されてしまい、様々な位置関係に対応できない。よって、車載コネクタ用途など様々な向きで素子が使用される場合には、コンデンサの直下に漏液受け止め用部品を設けたとしても漏れ出た液体を完全に受け止めることはできない。
【０００６】
本発明は上記のような事情に基づいて完成されたものであって、コンデンサの取付け姿勢によらず、漏液を確実に防止する漏液防止機能付き液体内蔵素子を提供することを目的とする。
【課題を解決するための手段】
【０００７】
第１の発明の漏液防止機能付き液体内蔵素子は、
接続相手に対する電気的接続部が装着された装着面を有し、内部に液体が内蔵された液体内蔵素子と、
前記装着面を覆い、液体を吸収する液体吸収部材と、
前記液体吸収部材を収容しつつ前記液体内蔵素子の前記装着面側にシール状態で被せ付けられる絶縁材より成る容器とを備え、
前記容器は前記液体内蔵素子に対し、前記装着面側から前記液体内蔵素子の前記装着面を超える位置まで被せ付けられていることを特徴とする。
また、第２の発明のコネクタは、
第１の発明の漏液防止機能付き液体内蔵素子をハウジングの内部に搭載することを特徴とする。
【発明の効果】
【０００８】
第１の発明によれば、液体を吸収しやすい液体吸収部材が液体内蔵素子の液漏れが発生しやすい装着面を覆うように配されているため、液漏れが発生しても速やかに液体吸収部材にて吸収できる。また、液体吸収部材は容器内に収容されているため、液体吸収部材から液体が染み出して漏液するのを防止できる。また、容器は液体内蔵素子の装着面側から装着面を超える位置までシール状態で被せ付けられているため、液体が液体内蔵素子の装着面から側面にまで及んだとしても、液体内蔵素子の側面と容器側壁間のシール性は破られない為、漏液することはない。よって、液体内蔵素子の実装向きや使用環境に制限されることなく、液体内蔵素子の漏液を防止できる。
【０００９】
第２の発明によれば、第１の発明の漏液防止機能付き液体内蔵素子をハウジング内に搭載することで、コネクタにおいて液体内蔵素子の漏液によるハウジング内の汚染や短絡などの不具合を防止できる。
【図面の簡単な説明】
【００１０】
【図１】実施例１に係る吸収部材を収容した容器の断面図
【図２】実施例１に係る漏液防止機能付きコンデンサの側断面図
【図３】実施例１に係るコンデンサ付きコネクタの側断面図
【発明を実施するための形態】
【００１１】
第１の発明における好ましい実施の形態を説明する。
（１） 本発明の漏液防止機能付き液体内蔵素子は、
前記容器はゴム製の弾性体にて形成され、開口縁部が前記液体内蔵素子の側面全周に弾性的に密着していることが好ましい。
この構成によれば、ゴム製の弾性体の伸縮性を利用して、液体内蔵素子の側面全周に容器の開口縁部を密着させることで、容器を液体内蔵素子に対し、シール状態で簡単に取り付けることが可能になる。
【００１２】
（２） 本発明の漏液防止機能付き液体内蔵素子は、
前記電気的接続部は前記装着面から突出した一対のリード線であり、かつ、前記容器内には、前記液体吸収部材により吸収された液体により前記液体内蔵素子の前記リード線間が短絡することを防止する短絡防止壁が設けられていることが好ましい。
この構成によれば、液体内蔵素子の装着面より突出した一対のリード線間に短絡防止壁が設けられているため、液体吸収部材により吸収された液体により、リード線間が漏電し、短絡することを防止できる。
【００１３】
（３） 本発明の漏液防止機能付き液体内蔵素子は、
前記短絡防止壁と前記容器とが一体に形成されていることが好ましい。
この構成によれば、短絡防止壁と容器とを一体に形成できる為、液漏れ防止機能付き液体内蔵素子を構成する部品点数を削減することができる。
【００１４】
第２の発明における好ましい実施の形態を説明する。
（４） 本発明のコネクタは、
前記漏液防止機能付き液体内蔵素子がコンデンサであることが好ましい。
この構成によれば、コネクタにノイズ除去機能を付与することができる。
次に、第１の発明の漏液防止機能付き液体内蔵素子と第２の発明のコネクタを具体化した実施例１について、図面を参照しつつ説明する。
【００１５】
＜実施例１＞
本実施例の漏液防止機能付きコンデンサ（漏液防止機能付き液体内蔵素子）１０は、アルミ電解コンデンサ２０（液体内蔵素子）と、アルミ電解コンデンサ２０より漏れ出る電解液を吸収する吸収部材（液体吸収部材）３１と、吸収部材３１を内部に収容する容器３２から構成される。図１に吸収部材３１を収容した容器３２の平面図を、図２に漏液防止機能付きコンデンサ１０の側断面図を示す。なお、アルミ電解コンデンサ２０を以下では単にコンデンサ２０と称する。
【００１６】
コンデンサ２０は円柱形状をしたコンデンサ本体２１とコンデンサ本体２１の後端面２３（装着面）より突出して設けられた一対のリード線２２Ａ、２２Ｂ（電気的接続部）からなっている。各リード線２２Ａ、２２Ｂの長さは異なっており、長い方が正極リード線２２Ａであり、短い方が負極リード線２２Ｂである。また、リード線２２Ａ、２２Ｂは円形断面の線材により形成されている。コンデンサ２０において電解液の液漏れが多く発生する部分はコンデンサ本体２１の後端面２３におけるリード線２２Ａ、２２Ｂとの付け根部分２５である。
【００１７】
容器３２は上面のみが開口した有底の円筒形状を成しており、弾発性と耐薬液性を有するシリコンゴム（ゴム製の弾性体）により形成されている。容器３２の内径はコンデンサ本体２１の外径よりやや小さめに設定されている。そして、図１に示すように、容器３２内の下側半分を２分割するように、短絡防止壁３３が容器３２底面より一体に突出して形成されている。また、図２に示すように短絡防止壁３３の先端は全長に亘って厚み方向に張り出して支持面３４が形成されている。そして、コンデンサ２０に容器３２を装着した際に、短絡防止壁３３の支持面３４はコンデンサ本体２１の後端面２３と当接して支持する。図１に示すように、吸収部材３１は短絡防止壁３３により仕切られた容器３２内に収容されている。収容される吸収部材３１の高さは短絡防止壁３３の高さと同じである。尚、吸収部材３１は電解液を吸収しやすい高分子吸収材にて形成されている。
【００１８】
次にコンデンサ２０に吸収部材３１を内部に収容した容器３２を装着する手順を説明する。
【００１９】
コンデンサ２０の後端面２３側から容器３２を被せ付ける。この際には、一対のリード線２２Ａ、２２Ｂ間に短絡防止壁３３が位置するようにして被せ付けを行う。そして、正極リード線２２Ａ、負極リード線２２Ｂの順に容器３２内に配された吸収部材３１を貫通していき、更に、容器３２の底面を液密状に貫通する。そして、コンデンサ本体２１の後端面２３を短絡防止壁３３の支持面３４に当接させる。こうして、容器３２はコンデンサ本体２１の後端面２３を超えて被せ付けられる。また、この時には、コンデンサ本体２１の後端面２３、つまり、各リード線２２Ａ、２２Ｂの付け根部２５に対して吸収部材３１が隣接した状態で配される。更に、コンデンサ本体２１の側面全周には、容器３２の開口縁部３５がシール状態で密着している。
【００２０】
次に、本実施例の漏液防止機能付きコンデンサ１０の作用効果について説明する。
【００２１】
本実施例の漏液防止機能付きコンデンサ１０は、各リード線２２Ａ、２２Ｂの付け根部分２５から電解液の液漏れが発生しても隣接した吸収部材３１によって電解液は速やかに吸収される。
【００２２】
また、耐薬液性の高いシリコンゴム製の容器３２内に吸収部材３１は収容されているため、吸収した電解液が容器３２外へと染み出して漏液することはない。
【００２３】
また、容器３２は伸縮性を有するため、コンデンサ本体２１の側面全周に容器３２の開口縁部３５を密着させることで、容器３２をコンデンサ本体２１に簡単に取り付けることができるという効果もある。
【００２４】
また、容器３２は、コンデンサ本体２１の後端面２３を超えて被せ付けられており、その開口縁部３５はコンデンサ本体２１の側面全周にシール状態で密着する。よって、コンデンサ本体２１から漏れ出た電解液がコンデンサ本体２１の後端面２３に沿って外周縁側へ伝って行ったとしても、コンデンサ本体２１の開口縁部３５と容器３２間のシール性は破られないため、電解液が容器３２から漏液することを防ぐことができる。
【００２５】
また、リード線２２Ａ、２２Ｂ間には短絡防止壁３３が設けられているため、吸収した電解液により漏電し、リード線２２Ａ、２２Ｂ間が短絡することを防止することができる。
【００２６】
本実施例のコンデンサ付きコネクタ４０（以下、コネクタ４０と称する。）は図３に示すように、一対の端子金具４１と、ノイズ除去用の漏液防止機能付きコンデンサ１０（以下では、単にコンデンサ１０と称する）とプラスチック製のコネクタハウジング（ハウジング）４２とを備えて構成されている。尚、以下の説明において、前後方向については図３の左方を前方、右方を後方とする。
【００２７】
端子金具４１は銅合金製であり、タブ状を成し、先端が尖って形成されている。
【００２８】
コネクタハウジング４２は相手方コネクタ（図示しない）と嵌合可能なフード部４３と、コンデンサ１０を収容可能なコンデンサ収容室４４と、フード部４３とコンデンサ収容室４４とを仕切る仕切り壁４５により構成されている。
【００２９】
フード部４３はコネクタハウジング４２の後端側に角筒状に形成され、その後端面は全面に亘って開口されている。仕切り壁４５には、端子金具４１が貫通可能なように端子挿入口４６が高さ方向に並んで２つ開口している。コンデンサ収容室４４はコネクタハウジング４２の前端側に角筒状に形成され、その前端面は全面に亘って開口されている。
【００３０】
次にコンデンサ１０及び端子金具４１をコネクタハウジング４２に収容する手順を説明する。
【００３１】
コンデンサ１０の各リード線２２Ａ、２２Ｂと端子金具４１とを半田付けにて接続し、予めこれらを一体化させておく。その後、コンデンサ収容室４４の開口部分より、コンデンサ１０と端子金具４１を収容し、仕切り壁４５に設けられた端子挿入口４６に端子金具４１を圧入することによりコネクタハウジング４２内に端子金具４１を固定する。
【００３２】
その後、図３に示すように、コンデンサ収容室４４内にエポキシ樹脂４７（以下では単に樹脂４７と称する。）を注入して、コンデンサ１０をコンデンサ収容室４４内に固定し、開口部分を閉止する。この時、コンデンサ収容室４４への樹脂４７の完全充填は行わず、充填された樹脂４７がコンデンサ１０の開口縁部３５にまで及ばないようにする。
【００３３】
以上のように、漏液防止機能付きコンデンサ１０をコネクタハウジング４２内に組み込んだコネクタ４０は、漏液によるコネクタハウジング４２の汚染や短絡といった不具合を防止することができる。
【００３４】
＜他の実施例＞
本発明は上記記述及び図面によって説明した実施例に限定されるものではなく、例えば次のような実施例も本発明の技術的範囲に含まれる。
（１）上記実施例では、容器にシリコンゴムを用いたが、これに限らず、他の薬液耐性の高いゴム材であっても良い。
（２）上記実施例では、液体内蔵素子にアルミ電解コンデンサを用いたが、これに限らず、他の液体内蔵コンデンサや液体内蔵電池等であっても良い。
（３）上記実施例では、短絡防止壁を設けたが、これに限らず、短絡防止壁を設けずに液体吸収部材を２分割するだけでも良い。
（４）上記実施例では、電気的接続部をコンデンサのリード線としたが、それ以外の電極でも良い。
【符号の説明】
【００３５】
１０…漏液防止機能付きコンデンサ（漏液防止機能付き液体内蔵素子）
２０…アルミ電解コンデンサ（液体内蔵素子）
２２Ａ、２２Ｂ…正極、負極リード線（リード線）
２３…後端面（装着面）
３１…吸収部材（液体吸収部材）
３２…容器
３３…短絡防止壁
３５…開口縁部
４０…コンデンサ付きコネクタ（コネクタ）
４２…コネクタハウジング（ハウジング）
【図１】
2014120674.tif 000003
【図２】
2014120674.tif 000004
【図３】
2014120674.tif 000005